(57)【要約】【課題】継続的にねずみやモグラを駆逐することができる有害動物駆逐装置を提供するものである。【解決手段】  容器１０２と、振動源１２と、容器１０２の内周面に沿って延在する湾曲部を有し、容器１０２に接触して配置された、又は振動したときに容器１０２に接触し得るように容器１０２に接近して配置された、振動源１２の振動を容器１０２に伝える振動部材１１と、振動源１２の振動を制御する制御回路１７ａとを有することを特徴とする。【選択図】図１
2011109926.tif 000002
【特許請求の範囲】
【請求項１】
容器と、
振動源と、
前記容器の内周面に沿って延在する湾曲部を有し、前記容器に接触して配置された、又は振動したときに前記容器に接触し得るように前記容器に接近して配置された、前記振動源の振動を前記容器に伝える振動部材と、
前記振動源の振動を制御する制御回路と
を有することを特徴とする有害動物駆逐装置。
【請求項２】
一端を前記容器に取り付け、他端で前記振動源及び前記振動部材を保持して吊り下げる可撓性の帯状部材を有することを特徴とする請求項１に記載の有害動物駆逐装置。
【請求項３】
前記振動部材は、一部が切り離された環状部材であることを特徴とする請求項１又は２のいずれか１項に記載の有害動物駆逐装置。
【請求項４】
前記容器の底は塞がれていることを特徴とする請求項１乃至３のいずれか１項に記載の有害動物駆逐装置。
【請求項５】
前記制御回路は、該振動源の振動の周波数を変化させるような制御信号を出力することを特徴とする請求項１乃至４のいずれか１項に記載の有害動物駆逐装置。
【請求項６】
前記制御回路は、前記制御信号を断続的に出力することを特徴とする請求項５に記載の有害動物駆逐装置。
【請求項７】
前記容器に対して蓋をするカバーを有することを特徴とする請求項１乃至６のいずれか１項に記載の有害動物駆逐装置。
【発明の詳細な説明】
【技術分野】
【０００１】
本発明は、ねずみやモグラなど、地中にもぐって農作物や樹木の地下茎や根などを食い荒らす有害動物を駆逐する有害動物駆逐装置に関する。
【背景技術】
【０００２】
ねずみやモグラなどの動物が、地中にもぐって田畑や農園の農作物や山林の樹木の地下茎や根などを食い荒らし、大きな被害を与えていることが新聞やテレビで報道されている。
【０００３】
そこで、これらの被害を防止するために、さまざまな方法による有害動物駆逐装置が提案されている。例えば、下記特許文献１に示す有害動物駆逐装置は、管の中に音を発するブザーを挿入する構造となっており、ブザー音により地下のモグラを撃退しようとするものである。
【０００４】
また、下記特許文献２には、筒体の底面を打撃子が打撃し、発生した音と振動を筒体を介して地中に伝播させる構造が提案されている。
【先行技術文献】
【特許文献】
【０００５】
【特許文献１】実用新案登録第３０４１７９６号
【特許文献２】特開２００１−３４００４７号公報
【発明の概要】
【発明が解決しようとする課題】
【０００６】
しかしながら、特許文献１に示す装置では、ブザー音が管の壁によって遮られて地中にほとんど伝播しないため、地下のモグラまでは届いていないという問題がある。
【０００７】
また、特許文献２に示す装置では、筒体の底面の一箇所だけを打撃しているため、振動は主に筒体の底面から地中に伝わる。したがって、振動は地中に主に下方向に伝わる一方で下方向以外の方向に伝わる振動は減衰してしまう。すなわち、振動源の振動を効率よく地中に伝えることができないという問題がある。
【０００８】
本発明は、かかる課題に鑑み、本願発明者が装置を試作しながら、数年にわたり、ねずみやモグラが出没する現場に出かけて実験を繰り返し、その結果漸くにして創作された、振動源の振動を効率よく地中に伝えてねずみやモグラを駆逐することができる有害動物駆逐装置の提供を目的とするものである。
【課題を解決するための手段】
【０００９】
一観点によれば、容器と、振動源と、前記容器の内周面に沿って延在する湾曲部を有し、前記容器に接触して配置された、又は振動したときに前記容器に接触し得るように前記容器に接近して配置された、前記振動源の振動を前記容器に伝える振動部材と、前記振動源の振動を制御する制御回路とを有することを特徴とする有害動物駆逐装置が提供される。
【発明の効果】
【００１０】
一観点の有害動物駆逐装置によれば、容器の内周面に沿って延在する湾曲部を有し、容器に接触して配置された、又は振動したときに容器に接触し得るように容器に接近して配置された、振動源の振動を容器に伝える振動部材を備えている。
【００１１】
振動源が振動すると、振動部材が振動する。振動部材が振動すると、振動部材が振動を容器に伝える。このとき、振動部材は容器の内周面に沿って、面で接触するか、或いは多数の点で接触するので、それらが２次的な振動源となって、容器の外側に向かって全方向にわたって振動を伝えることができる。従って、振動部材を容器に収納し、その容器を土中に埋めて使用すると、容器の振動がより広い方面にわたって土に伝わる。即ち、振動源の振動を効率よく地中に伝えることができる。
【００１２】
実験によれば、この装置を継続して使用すると、振動が感じられ、或いは音が聞こえる範囲内には、広い方面にわたってねずみやモグラがいなくなった。これは、一度或いは何度かこのような振動を体感し、或いは音を聞いたねずみやモグラが脅威を抱いて、振動が感じられ、或いは音が聞こえる範囲には二度と近づくことができなくなったためであると考えられる。
【図面の簡単な説明】
【００１３】
【図１】実施形態に係る有害動物駆逐装置の構成部品を示す斜視図である。
【図２】図１の有害動物駆逐装置の構成部品のうち振動生成部品の構成を示す斜視図である。
【図３】図１に示す有害動物駆逐装置の構成部品を組み立てる方法を示す斜視図である。
【図４】図１に示す有害動物駆逐装置を地面にセットした状態を示す断面図である。
【図５】振動生成部品の変形例の構成を示す斜視図である。
【図６】カプセルの変形例の構成を示す斜視図である。
【図７】（ａ）は振動生成部品に印加する電圧を示すタイミングチャートであり、（ｂ）はそれにより振動生成部品に発生する振動を示すタイミングチャートである。
【図８】（ａ）〜（ｃ）は、種々の電圧印加方法について示すタイミングチャートである。
【図９】図１に示す有害動物駆逐装置におけるカプセル内の振動生成部品（振動環）の配置と動作態様を説明する平面図である。
【発明を実施するための形態】
【００１４】
以下に、本発明の実施の形態について図面を参照しながら説明する。
【００１５】
（有害動物駆逐装置の全体の構成）
図１は、実施形態に係る有害動物駆逐装置の構成を説明する斜視図であり、振動を発生させる振動生成部品１０１と、振動生成部品１０１の振動を外部に伝えるカプセル（容器）１０２と、カバー１０３とを備えている。
【００１６】
図２は、振動生成部品１０１の構成を説明する斜視図である。
【００１７】
図３は、振動生成部品１０１をカプセル１０２に取り付け、さらにカバー１０３をカプセル１０２に被せて、実施形態に係る有害動物駆逐装置を組み立てる方法を説明する斜視図である。
【００１８】
図４は、組み立てが完了した後の実施形態に係る有害動物駆逐装置を、土の中に埋めた状態を示す断面図である。
【００１９】
（振動生成部品１０１の構成）
まず、振動生成部品１０１の構成について説明する。
【００２０】
符号１２は振動源となる振動モータである。その振動モータ１２は、よく知られているように、モータ回転軸の周りを回転する回転体の重心を回転軸の中心から外すことにより振動を起こさせることを原理としている。
【００２１】
振動モータ１２の一方の面と保持プレート１３の面は、例えば接着剤、或いは両面テープにより互いに固着している。振動環１１と保持プレート１３は、ボルト１５ａを連通させた螺子穴１１ｂ及び１３ｂに挿入し、ナット１５ｂで締めることで、互いに固定される。このとき、振動モータ１２の他方の面は、振動環１１から突出した取付け部１１ａの面に密着している。
【００２２】
振動環１１は、一つの振動源（振動モータ）１２の振動から種々の振動を発生させつつ、かつその振動をカプセル１０２全体にわたって広く拡大させながらカプセル１０２に伝達する機能を有する。即ち、振動源１２の振動を効率よく地中に伝える機能を有する。
【００２３】
そのような振動環１１の構成は、帯状部材を加工してカプセル１０２の内周面に沿って延在し、湾曲部をもつように形成され、環状に近い形状となっている。これによって、振動環１１の外周面がカプセル１０２の内周面に予め接触し、或いは振動により接触し得る位置に振動環１１をカプセル１０２内に取り付けることができる。このため、振動環１１とカプセル１０２の内面との接触面をカプセル１０２の内周面に沿って増やすことができる。しかも、振動環１１とカプセル１０２の内面との各接触部分がカプセル１０２を振動させる２次的な振動源となるため、振動源がカプセル１０２の内周面に沿って広く分布することになる。
【００２４】
また、振動環１１は閉じられた環ではないので、振動環１１の端部で大きく振動する。
【００２５】
さらに、振動環１１は下部をカプセル１０２の底面に最初から接触させておくか、或いは振動環１１の振動により接触するようにカプセル１０２の底面近傍に配置することが望ましい。より多方面から振動を地中に伝え、また、カプセル１０２内からより大きな音を発生させることができるからである。このことは、実際に、南アルプス市こま野のさくらんぼ果樹園での実験により確認することができた。
【００２６】
符号１６は振動モータ１２を吊り下げる帯状部材である。帯状部材１６の下端は保持プレート１３に固着し、上端は基板プレート１８に固着している。帯状部材１６は樹脂製、又は金属製で、振動を妨げられないように可撓性を有している。
【００２７】
基板プレート１８の後側には、カプセル１０２の上端に引っ掛けるためのＬ字形係止部１８ａが形成されている。さらに、係止部１８ａには、後述するカプセル１０２に螺子止めにより振動生成部品１０１を固定する螺子穴１８ｂが形成されている。螺子穴１８ｂの内面には螺子が切ってある。また、基板プレート１８の前側には、回路基板１７が取り付けられている。回路基板１７の上には電圧制御回路１７ａが搭載されているので、回路基板１７は、留め金１９により基板プレート１８から一定の間隔をもって離れている。
【００２８】
電圧制御回路１７ａにはリード線１４ｂを介して電力が供給され、電圧制御回路１７ａはリード線１４ａを介して振動モータ１２に制御電圧を送っている。
【００２９】
電力の供給により、回路基板１７に搭載された電圧制御回路１７ａは、図７（ａ）に示すように、のこぎり波電圧を適当な時間間隔を置いて断続的に出力する。これにより、振動モータ１２は、図７（ｂ）に示すように、低い周波数から高い周波数に連続的に変化する振動を適当な時間間隔を置いて繰り返し発生する。
【００３０】
（カプセル１０２の構成）
次に、カプセル１０２の構成について説明する。
【００３１】
カプセル１０２は、図１に示すように、ステンレスなど金属製、又はプラスチック製の円筒部材２１であり、かつその底が塞がれた構造を有する。円筒部材２１上部の開口部から、上述の振動生成部品１０１を円筒部材２１内部に挿入することができる。円筒部材２１の側壁上部には、振動生成部品１０１の電圧制御回路１７ａに電力を導くリード線１４ｂを引き出すリード線引出し穴２２と、後述するカバー１０３を、３箇所で螺子止めする螺子穴２３ａ〜２３ｃと、振動部品１０１を円筒部材２１に固定するために螺子止めする螺子穴２３ｄとが形成されている。螺子穴２３ａ〜２３ｄの内面には螺子が切ってある。
【００３２】
このカプセル１０２には、後述する変形例の振動生成部品１０４も収納できる。この場合、リード線引出し穴２２から、振動モータ４２に接続されたリード線４４が引き出される。
【００３３】
（カバー１０３の構成）
カバー１０３は、図１に示すように、四角い箱型で下部が開いている蓋部材３１を有する。さらに、蓋部材３１は、振動生成部品１０１の係止部１８ａをカプセル１０２に取り付け、リード線１４ｂを引き出すための空間を確保するため、片側が長くなっている構造を有する。蓋部材３１には、カプセル１０２の螺子穴２３ａ〜２３ｃに対応する螺子穴３２ａ〜３２ｃがそれぞれ３つの側面の中央付近に形成されている。螺子穴３２ａ〜３２ｃの内面には螺子が切ってある。カプセル１０２の上部にカバー１０３を被せたときに、それらの螺子穴３２ａ〜３２ｃとカプセル１０２の螺子穴２３ａ〜２３ｃとを連通させ、それらにそれぞれ螺子をねじ込んでカバー１０３をカプセル１０２に固定できるようになっている。
【００３４】
このカバー１０３により、装置内部が風雨や日差しに曝されるのを防ぎ、装置内部に土や埃などが侵入するのを防ぐとともに、装置内部が動物や人に荒らされないようにすることができる。
【００３５】
（有害動物駆逐装置の組立て方法）
次に、図３及び図４を参照して、振動生成部品１０１をカプセル１０２に取り付け、さらにカバー１０３をカプセル１０２に被せて、本実施形態に係る有害動物駆逐装置を組み立てる方法について説明する。
【００３６】
まず、振動生成部品１０１をカプセル１０２の上部の開口部からカプセル１０２に挿入する。そして、Ｌ字形係止部１８ａを、カプセル１０２の上端に引っ掛けるとともに、カプセル１０２の螺子穴２３ｄとＬ字形係止部１８ａの螺子穴１８ｂとを連通させる。さらに、リード線１４ｂをリード線引出し穴２２から引き出す。
【００３７】
次いで、図３に示すように、連通した螺子穴２３ｄ及び１８ｂにボルト２０を差込み、振動生成部品１０１をカプセル１０２に固定する。図９に、振動生成部品１０１をカプセル１０２に取り付け、上から見た状態を示す。この状態では、振動生成部品１０１の振動環１１はカプセル１０２の内壁に直接接触しておらず、振動環１１が振動することによりカプセル１０２内壁に接触するようにカプセル１０２内壁に接近した状態で置かれている。
【００３８】
次に、カバー１０３をカプセル１０２の上に被せ、かつカバー１０３の螺子穴３２ａ〜３２ｃとカプセル１０２の螺子穴２３ａ〜２３ｃとを連通させ、それらにそれぞれボルト３３をねじ込んでカバー１０３をカプセル１０２に固定する。カバー１０３の内側には、Ｌ字形係止部１８ａを配置し、リード線１４ｂを引き出すための空間を有するので、カプセル１０２にカバー１０３を支障なく被せることができる。
【００３９】
以上により、有害動物駆逐装置の組み立てが完了する。
【００４０】
（変形例）
次に、本実施形態に係る振動生成部品１０１、カプセル１０２及びカバー１０３の変形例について説明する。
【００４１】
（振動生成部品の変形例）
図５は、振動生成部品の変形例の構成を示す斜視図である。
【００４２】
変形例に係る振動生成部品１０４において、図２に示す振動生成部品１０１と異なるところは、振動環４１が保持プレート４３への被固定部から離れたところで切除されている点と、振動モータ１２を吊り下げる可撓性を有する帯状部材４５が振動環４１の取付け部４１ａに取り付けられている点と、電圧制御回路が振動生成部品１０４に取り付けられずに、図示しないが、振動部品１０４から離れたところに設けられている点である。
【００４３】
図５中、その他の符号４３ａは振動環４１の取付け部４１ａを介して螺子により振動環４１を保持プレート４３に固定するための取付け部、４４は振動モータ４２に接続されたリード線、４５ａは帯状部材４５の先端を折り曲げて形成したカプセルへの係止部である。なお、係止部４５ａには、カプセル１０２に固定するための螺子穴を設けてもよい。
【００４４】
なお、振動環１１、４１は、帯状部材をカプセル１０２の内周面に沿って延在し、湾曲部を有するように加工されたものでのほぼ環状に近い形状となっているが、その代わりに、比較的短い帯状部材を加工し、環状に近いとはいえないが、カプセル１０２の内周面に沿って延在し、湾曲部を有するようにしたものでもよい。
【００４５】
（カプセルの変形例）
図６は、カプセルの変形例の構成を示す斜視図である。
【００４６】
変形例に係るカプセル１０５は、図６に示すように、円筒部材５１の片側端部５１ａが先端に行くにつれて大きく潰されて、先端部５１ｂが先鋭になっている。潰された端部５１ａ以外は初期の円筒の形状がそのまま維持されている。なお、図６中、その他の符号５２は振動モータに接続されたリード線４４を引き出すリード線引出し穴、符号５３ａ〜５３ｃはカバーを固定するのに使用する螺子穴で、螺子穴５３ａ〜５３ｃの内面には螺子が切ってある。なお、カプセル１０５には、振動生成部品１０１や１０４の係止部１８ａや４５ａをカプセルに固定するための螺子穴を設けてもよい。
【００４７】
潰されて先鋭になっている片側端部５１ａとは反対側の円形状の開口部から振動生成部品をカプセル１０５内に収納する。図６では、カプセル１０５内に図５の振動生成部品１０４を収納した状態を示す。先端部５１ｂが先鋭になっているため、それほど硬くない土地であれば、予め土地に穴を掘らなくてもカプセル１０５を先端部５１ｂから地中に容易に埋め込むことができる。
【００４８】
なお、カプセル１０２、１０５は円筒状であるが、楕円形の筒でもよいし、三角形をはじめとする多角形の筒状でもよい。この場合、振動環１１、４１も、カプセル１０２、１０５の内側形状に対応するように、楕円形、或いは三角形をはじめとする多角形の筒状で、一部が切り離されたものとすることが好ましい。
【００４９】
（カバーの変形例）
図１のカバー１０３では、四角い箱型で下部が開いている蓋部材３１を用いているが、円形状や楕円形状の箱型のもの、四角形状以外の多角形状の箱型のものを用いてもよい。
【００５０】
（有害動物駆逐装置の使用方法及び動作）
次に、図４、図７及び図９を参照して、有害動物駆逐装置の使用方法及び動作について説明する。
【００５１】
図４は、組み立てが完了した後の第１の実施形態に係る有害動物駆逐装置を使用するため、土の中に埋めた状態を示す斜視図である。
【００５２】
図４に示すように、有害動物駆逐装置は、地上にカプセル１０２の上部が適当な長さで出るように下部を地中に埋めて、固定する。そのため、まず、地面に穴を掘り、カプセル１０２のみを半分くらい埋める。次いで、カプセル１０２周囲に土を詰めてカプセル１０２を固定する。
【００５３】
次いで、上述の（有害動物駆逐装置の組立て方法）項で説明した方法により、有害動物駆逐装置を組み立てる。
【００５４】
この状態で、リード線１４ｂに電源を接続し、電力を供給して振動生成部品１０１を動作させる。振動生成部品１０１は以下のように動作する。
【００５５】
図７（ａ）は、振動生成部品１０１に印加する電圧を示すタイミングチャートであり、図７（ｂ）は、その印加電圧により振動生成部品１０１に発生する振動を示すタイミングチャートである。
【００５６】
図９は、図１に示す有害動物駆逐装置におけるカプセル内の振動環の配置と動作態様を説明する平面図である。
【００５７】
振動生成部品１０１の電圧制御回路１７ａは、図７（ａ）に示すように、のこぎり波電圧を適当な時間間隔で断続的に出力するように構成されている。電圧供給期間として３秒程度、電圧供給停止期間として５秒程度が設定されている。また、のこぎり波電圧は、０Ｖから、凡そ３Ｖ程度まで連続的に増加するように設定されている。
【００５８】
上述ののこぎり波電圧の印加により、振動モータ１２は、図７（ｂ）に示すように、低い周波数から高い周波数に連続的に変化する振動を適当な時間間隔を置いて繰り返し発生する。
【００５９】
この振動が、振動環１１に伝わり、振動環１１が振動する。振動環１１から種々の振動が発生し、かつその振動が図９に示すように、カプセル１０２全体にわたって広く拡大しながらカプセル１０２に伝達される。図９において、振動環１１の振動により振動環１１が、凡そ太い鎖線２１ａで示す範囲で、カプセル１０２内壁に接触する。
【００６０】
これによって、カプセル１０２が振動し、その振動は、カプセル１０２全体からカプセル１０２周囲の土に伝わり、さらに、土を介して広い方面にわたって伝えられる。特に、振動環１１とカプセル１０２の接触部分、即ち２次的な振動源からより強い振動が土に伝わる。本実施形態では、図９に示すように、振動環１１とカプセル１０２の接触部分２１ａが広い範囲にわたって分布しているので、このような振動の効果をカプセル１０２周囲のより広い方面にわたって及ぼすことができる。
【００６１】
この土の振動が、土中のねずみやモグラにいる場所に伝わることで、ねずみやモグラは恐怖感を抱き、振動が伝わる範囲よりも遠くに逃げていく。繰り返し振動を起こさせることで、ねずみやモグラは有害動物駆逐装置の周辺には近づかなくなる。
【００６２】
一方で、振動環１１やカプセル１０２が振動すると、カプセル１０２内は空洞となっているため、その振動がカプセル１０２内の空気を振動させて特有の音を発生させる。この音は地上にいるねずみなどに対して恐怖感を与えるため、ねずみなどは音の聞こえる範囲よりも遠くに逃げていく。繰り返し音を発生させることで、地上にいるねずみなども有害動物駆逐装置の周辺には近づかないようになる。
【００６３】
このようにして、地中及び地上において振動や音が伝わる範囲にいるすべてのねずみやモグラを広い方面にわたって駆逐することができる。
【００６４】
（有害動物駆逐装置への電圧印加方法の他の例）
図８（ａ）〜（ｃ）は、図７に示す電圧印加方法以外の種々の電圧印加方法について示すタイミングチャートである。
【００６５】
図８（ａ）においては、低い電圧から高い電圧に連続的に変化するのこぎり波電圧を間をおかず連続的に印加する変形例を示す。これにより、有害動物駆逐装置から、低い周波数から高い周波数に連続的に変化する振動や音が間をおかず連続的に繰り返し発生することになる。
【００６６】
図８（ｂ）においては、低い電圧から高い電圧に連続的に変化し、引き続き、高い電圧から低い電圧に連続的に変化する三角波電圧を間をおかずに連続的に印加する変形例を示す。これにより、有害動物駆逐装置から、低い周波数から高い周波数に連続的に変化し、引き続き、高い周波数から低い周波数に連続的に変化する振動や音が間をおかず連続的に繰り返し発生することになる。
【００６７】
図８（ｃ）においては、正弦波に従って変化する電圧を印加する変形例を示す。この場合、負に電圧が供給されるときには、負の電圧で動作する電圧制御回路を別に設ける。これにより、図８（ｂ）と同じように、有害動物駆逐装置から、低い周波数から高い周波数に連続的に変化し、引き続き、高い周波数から低い周波数に連続的に変化する振動や音が間をおかず連続的に繰り返し発生することになる。
【００６８】
或いは、正の電圧が供給されるときのみ電圧制御回路が動作し、負の電圧が供給されるときには、電圧制御回路が動作しないようにすることで、電圧制御回路に断続的に電圧を印加することができる。これにより、有害動物駆逐装置から、低い周波数から高い周波数に連続的に変化し、引き続き、高い周波数から低い周波数に連続的に変化する振動や音が、振動などが発生する時間と同じ時間間隔をおいて繰り返し発生することになる。
【符号の説明】
【００６９】
１１、４１  振動環
１１ａ、１３ａ、４１ａ、４３ａ、取付け部
１１ｂ、１３ｂ、１８ｂ、２３ａ〜２３ｄ、３２ａ〜３２ｃ、５３ａ〜５３ｃ  螺子穴
１２、４２  振動モータ
１３、４３  保持プレート
１４ａ、１４ｂ、４４  リード線
１５ａ、２０、３３  ボルト
１５ｂ  ナット
１６、４５  帯状部材
１７  回路基板
１７ａ  電圧制御回路
１８  基板プレート
１８ａ、４５ａ  係止部
１９  留め金
２１、５１  円筒部材
２２、５２  リード線引出し穴
３１  蓋部材
５１ａ  潰した片側端部
５１ｂ  先端部
１０１、１０４  振動生成部品
１０２、１０５  カプセル
１０３  カバー
【図１】
2011109926.tif 000003
【図２】
2011109926.tif 000004
【図３】
2011109926.tif 000005
【図４】
2011109926.tif 000006
【図５】
2011109926.tif 000007
【図６】
2011109926.tif 000008
【図７】
2011109926.tif 000009
【図８】
2011109926.tif 000010
【図９】
2011109926.tif 000011